(57)【特許請求の範囲】
【請求項１】
第１の周波数のＲＦ送信部（１１）と、第２の周波数のＲＦ送受信部（１２）と、情報処理部（１３）とを具備し、前記情報処理部（１３）は、前記ＲＦ送信部（１１）により定期的にＩＤを送信すると共に前記ＲＦ送受信部（１２）によりコマンドの受信やユーザＩＤの送信を行うことを特徴とするタグ装置（１０）から第１の周波数で定期的にＩＤを送信し、第１の周波数のＲＦ受信部（２１）と、第２の周波数のＲＦ送受信部（２２）と、情報処理部（２３）とを具備し、前記情報処理部（２３）は、前記ＲＦ受信部（２１）によりＩＤを受信すると共に前記ＲＦ送受信部（２２）によりコマンドの送信やユーザＩＤの受信を行うことを特徴とするトランシーバ装置（２０）で前記ＩＤを受信すると前記トランシーバ装置（２０）からその上位装置（Ｈ）にＩＤを報告し、前記トランシーバ装置（２０）がその上位装置（Ｈ）からコマンドを受け取ると第２の周波数でコマンドを送信し、前記タグ装置（１０）が前記コマンドを受信すると該コマンドに応じた処理を行うことを特徴とするタグシステム（１００）。
【発明の詳細な説明】
【技術分野】
【０００１】
本発明は、タグ装置、トランシーバ装置およびタグシステムに関し、さらに詳しくは、周辺機器の駆動と周辺機器の状態告知が行えると共にコリジョンの防止が行えるタグ装置、トランシーバ装置およびタグシステムに関する。
【背景技術】
【０００２】
従来、定期的にＩＤ（予め決まっており、ユーザが書き換え不能な識別情報）を無線送信する単方向通信方式のタグ装置や、ＩＤやユーザＩＤ（一部または全部をユーザが書き換え可能な識別情報）の送信を無線送信すると共にコマンドの無線受信をも行う双方向通信方式のタグ装置が知られている（例えば、特許文献１参照。）。
【特許文献１】特開２００５−２６８８３７号公報
【発明の開示】
【発明が解決しようとする課題】
【０００３】
単方向通信方式のタグ装置では、コマンドを無線受信して周辺機器を駆動したり、周辺機器の状態を報告することが出来ない問題点がある。
他方、双方向通信方式のタグ装置では、単方向通信方式に比べて通信時間が長くなるため、規定空間内に置かれるタグ装置の個数が増えるとコリジョンが生じやすくなって無線通信の確立が困難となる問題点がある。
そこで、本発明の目的は、周辺機器の駆動と周辺機器の状態告知が行え、コリジョンの防止が行えるタグ装置、トランシーバ装置およびタグシステムを提供することにある。
【課題を解決するための手段】
【０００４】
第１の観点では、本発明は、第１の周波数のＲＦ送信部（１１）と、第２の周波数のＲＦ送受信部（１２）と、情報処理部（１３）とを具備し、前記情報処理部（１３）は、前記ＲＦ送信部（１１）により定期的にＩＤを送信すると共に前記ＲＦ送受信部（１２）によりコマンドの受信やユーザＩＤの送信を行うことを特徴とするタグ装置（１０）を提供する。
上記第１の観点によるタグ装置（１０）では、定期的なＩＤの送信をＲＦ送信部（１１）により単方向通信方式で行うため、通信時間が短くて済み、規定空間内に置かれるタグ装置（１０）の個数が増えてもコリジョンが生じにくくなり無線通信の確立が容易になる。また、ＲＦ送受信部（１２）による双方向通信方式でコマンドの受信やユーザＩＤの送信を行うことが出来るので、周辺機器を駆動したり、周辺機器の状態を報告することが出来る。なお、ＲＦ送信部（１１）とＲＦ送受信部（１２）とは周波数が異なるため、重なってもコリジョンは生じない。さらに、単方向通信の頻度よりも双方向通信の頻度を減らせば、タグ装置（１０）に内蔵した電池の寿命を延ばすことも出来る。【０００５】
第２の観点では、本発明は、第１の周波数のＲＦ受信部（２１）と、第２の周波数のＲＦ送受信部（２２）と、情報処理部（２３）とを具備し、前記情報処理部（２３）は、前記ＲＦ受信部（２１）によりＩＤを受信すると共に前記ＲＦ送受信部（２２）によりコマンドの送信やユーザＩＤの受信を行うことを特徴とするトランシーバ装置（２０）を提供する。
上記第２の観点によるトランシーバ装置（２０）では、前記第１の観点によるタグ装置（１０）からのＩＤをＲＦ受信部（２１）により単方向通信方式で受信するため、通信時間が短くて済み、規定空間内に置かれるタグ装置（１０）の個数が増えてもコリジョンが生じにくくなり無線通信の確立が容易になる。また、ＲＦ送受信部（２２）による双方向通信方式でコマンドの送信やユーザＩＤの受信を行うことが出来るので、タグ装置（１０）側の周辺機器を駆動したり、周辺機器の状態を調べたりことが出来る。なお、単方向通信と双方向通信とは周波数が異なるため、重なっても支障はない。【０００６】
第３の観点では、本発明は、前記第１の観点によるタグ装置（１０）から第１の周波数で定期的にＩＤを送信し、前記第２の観点によるトランシーバ装置（２０）で前記ＩＤを受信すると前記トランシーバ装置（２０）からその上位装置（Ｈ）にＩＤを報告し、前記トランシーバ装置（２０）がその上位装置（Ｈ）からコマンドを受け取ると第２の周波数でコマンドを送信し、前記タグ装置（１０）が前記コマンドを受信すると該コマンドに応じた処理を行うことを特徴とするタグシステム（１００）を提供する。
上記第３の観点によるタグシステム（１００）では、定期的なＩＤの送信を単方向通信方式で行うため、通信時間が短くて済み、規定空間内に置かれるタグ装置（１０）の個数が増えてもコリジョンが生じにくくなり無線通信の確立が容易になる。また、コマンドの送受信やユーザＩＤの送受信を双方向通信方式で行うことが出来るから、タグ装置（１０）側の周辺機器を駆動したり、周辺機器の状態を調べたりすることが出来る。なお、単方向通信と双方向通信とは周波数が異なるため、重なっても支障はない。さらに、単方向通信の頻度よりも双方向通信の頻度を減らせば、タグ装置（１０）に内蔵した電池の寿命を延ばすことも出来る。
【発明の効果】
【０００７】
本発明のタグ装置、トランシーバ装置およびタグシステムによれば、規定空間内に置かれるタグ装置の個数が増えてもコリジョンが生じにくくなり無線通信の確立が容易になる。また、コマンドの送受信やユーザＩＤの送受信を双方向通信方式で行うことが出来るから、タグ装置側の周辺機器を駆動したり、周辺機器の状態を調べたりすることが出来る。なお、単方向通信と双方向通信とは周波数が異なるため、重なっても支障はない。さらに、単方向通信の頻度よりも双方向通信の頻度を減らすことも可能であるため、タグ装置に内蔵した電池の寿命を延ばすことも出来る。
【発明を実施するための最良の形態】
【０００８】
以下、図に示す実施の形態により本発明をさらに詳細に説明する。なお、これにより本発明が限定されるものではない。
【実施例１】
【０００９】
図１は、実施例１にかかるタグ装置１０を示す構成図である。
このタグ装置１０は、第１の周波数ｆ１（例えば３０３.８２５ＭＨｚ）のＲＦ送信部１１と、第２の周波数ｆ２（例えば３１５ＭＨｚ）のＲＦ送受信部１２と、情報処理部１３と、情報処理部１３に接続された周辺機器４とを具備している。
周辺機器４は、操作スイッチ１，ＬＥＤ２およびブザー３である。【００１０】
図２は、タグ装置１０の外観図である。
ケース５に、操作スイッチ１，ＬＥＤ２およびブザー３が設置されている。【００１１】
図３は、実施例１にかかるトランシーバ装置２０を示す構成図である。
このトランシーバ装置２０は、第１の周波数ｆ１（例えば３０３.８２５ＭＨｚ）のＲＦ受信部２１と、第２の周波数ｆ２（例えば３１５ＭＨｚ）のＲＦ送受信部２２と、情報処理部２３ととを具備している。
情報処理部１３は、ホストコンピュータのごとき上位装置（Ｈ）に接続されている。【００１２】
図４は、実施例１にかかるタグシステム１００を示す構成図および単方向通信のタイミングチャートである。
このタグシステム１００は、複数（図示は１台だけ）のタグ装置１０と、トランシーバ装置２０とから構成されている。
タグ装置１０の情報処理部１３は一定時間Ｔ（例えば５秒間）毎にＩＤを送信するようにＲＦ送信部１１に指示し、ＲＦ送信部１１は周波数ｆ１でＩＤを電波送信する。【００１３】
トランシーバ装置２０のＲＦ受信部２１は第１の周波数ｆ１でＩＤを電波受信すると、受信したＩＤを情報処理部２３に渡す。情報処理部２３は、ＩＤを上位装置Ｈに報告する。【００１４】
図５は、タグシステム１００における双方向通信のタイミングチャートである。
上位装置Ｈは、トランシーバ装置２０からＩＤを報告されると、当該ＩＤ宛コマンドがあるか検索し、あれば該ＩＤ宛コマンドをトランシーバ装置２０に送る。【００１５】
トランシーバ装置２０の情報処理部２３は、上位装置ＨからＩＤ宛コマンドが送られてきたなら、当該ＩＤ宛コマンドを送信するようにＲＦ送受信部２２に指示し、ＲＦ送受信部２２は第２の周波数ｆ２で当該ＩＤ宛コマンドを電波送信する。【００１６】
タグ装置１０のＲＦ送受信部１２は第２の周波数ｆ２でコマンドを電波受信すると、受信したコマンドを情報処理部１３に渡す。情報処理部１３は、コマンドが自ＩＤ宛でないなら破棄し、自ＩＤ宛なら当該コマンドによる処理を行う。ここで処理が例えば「操作スイッチ１の状態を報告せよ」である場合、情報処理部１３は、操作スイッチ１の状態をスキャンし、それをユーザＩＤに書き込み、そのユーザＩＤを送信するようにＲＦ送受信部１２に指示し、ＲＦ送受信部１２は周波数ｆ２でユーザＩＤを電波送信する。【００１７】
トランシーバ装置２０のＲＦ送受信部２２は第２の周波数ｆ２でユーザＩＤを電波受信すると、受信したユーザＩＤを情報処理部２３に渡す。情報処理部２３は、ユーザＩＤを上位装置Ｈに報告する。【００１８】
上位装置Ｈは、トランシーバ装置２０からユーザＩＤを報告されると、当該ＩＤ宛コマンドがあるか検索し、あれば該ＩＤ宛コマンドをトランシーバ装置２０に送る。【００１９】
トランシーバ装置２０の情報処理部２３は、上位装置ＨからＩＤ宛コマンドが送られてきたなら、当該ＩＤ宛コマンドを送信するようにＲＦ送受信部２２に指示し、ＲＦ送受信部２２は第２の周波数ｆ２で当該ＩＤ宛コマンドを電波送信する。【００２０】
タグ装置１０のＲＦ送受信部１２は第２の周波数ｆ２でコマンドを電波受信すると、受信したコマンドを情報処理部１３に渡す。情報処理部１３は、コマンドが自ＩＤ宛でないなら破棄し、自ＩＤ宛なら当該コマンドによる処理を行う。ここで処理が例えば「ＬＥＤ２を点灯し、ブザー３を鳴らせ」である場合、情報処理部１３は、ＬＥＤ２を点灯し、ブザー３を鳴らす。そして処理済みの旨をユーザＩＤに書き込み、そのユーザＩＤを送信するようにＲＦ送受信部１２に指示し、ＲＦ送受信部１２は周波数ｆ２でユーザＩＤを電波送信する。【００２１】
トランシーバ装置２０のＲＦ送受信部２２は第２の周波数ｆ２でユーザＩＤを電波受信すると、受信したユーザＩＤを情報処理部２３に渡す。情報処理部２３は、ユーザＩＤを上位装置Ｈに報告する。【００２２】
実施例１のタグシステム１００によれば次の効果が得られる。
（１）定期的なＩＤの送受信を単方向通信方式で行うため、通信時間が短くて済み、規定空間内に置かれるタグ装置１０の個数が増えてもコリジョンが生じにくくなり、無線通信の確立が容易になる。
（２）コマンドの送受信やユーザＩＤの送受信を双方向通信方式で行うから、周辺機器４を駆動したり、周辺機器４の状態を調べたりすることが出来る。
（３）単方向通信と双方向通信とは周波数が異なるため、重なっても支障はない。
（４）ＲＦ送信部１１は定期的な単方向通信の短い通信時間の間だけ動作し他の時間は休止し、ＲＦ送受信部１２は単方向通信より頻度の少ない双方向通信の間だけ動作し他の時間は休止するので、タグ装置１０に内蔵した電池の寿命を延ばすことが出来る。【００２３】
（５）単方向通信の直後に同一ＩＤに対する双方向通信が行われるので、タグ装置１０では単方向通信の直後の短時間だけ送受信部１２を動作させ、自ＩＤに対するコマンドを受信すれば動作を継続し、自ＩＤに対するコマンドを受信しなければ休止させることが出来る。これにより、タグ装置１０に内蔵した電池の寿命を延ばすことが出来る。
なお、タグ装置１０で単方向通信の直後の短時間だけ送受信部１２を動作させることを毎回行ってもよいが、間欠的（例えば単方向通信の１回飛び毎）に行えばタグ装置１０に内蔵した電池の寿命をより延ばすことが出来る。
【産業上の利用可能性】
【００２４】
本発明のタグ装置、トランシーバ装置およびタグシステムは、資産検索（棚卸）システムやアンケート集計システムやオークションシステムに利用できる。
【図面の簡単な説明】
【００２５】
【図１】実施例１に係るタグ装置を示す構成図である。
【図２】実施例１に係るタグ装置を示す外観図である。
【図３】実施例１に係るトランシーバ装置を示す構成図である。
【図４】実施例１に係るタグシステムおよび単方向通信のタイミングチャートである。
【図５】実施例１に係るタグシステムおよび双方向通信のタイミングチャートである。
【符号の説明】
【００２６】
４                      周辺機器
１０                    タグ装置
１１                    ＲＦ送信部
１２                    ＲＦ送受信部
１３                    情報処理部
２０                    トランシーバ装置
２１                    ＲＦ受信部
２２                    ＲＦ送受信部
２３                    情報処理部
１００                  タグシステム
【図１】
0004416822.tif 000002
【図２】
0004416822.tif 000003
【図３】
0004416822.tif 000004
【図４】
0004416822.tif 000005
【図５】
0004416822.tif 000006